(57)【要約】【課題】本発明は表示装置及びその駆動方法に関し、特に画質不良を改善できる表示装置及びその駆動方法に関する。【解決手段】本発明の一実施形態による表示装置は、複数の画素を含む表示板と、画素に対する入力映像信号を受信し、入力映像信号を処理して出力映像信号を生成する信号制御部と、出力映像信号をデータ電圧に変換して表示板にデータ電圧を印加するデータ駆動部と、を含み、信号制御部は、入力映像信号を補正して補正映像信号を出力する入力映像信号補正部を含み、入力映像信号補正部は、入力映像信号の階調が０のときに入力映像信号を０より大きい階調である第１階調に補正する。【選択図】図５
2015031950.tif 000002
【特許請求の範囲】
【請求項１】
複数の画素を含む表示板と、
前記画素に対する入力映像信号を受信し、前記入力映像信号を処理して出力映像信号を生成する信号制御部と、
前記出力映像信号をデータ電圧に変換し、前記表示板に前記データ電圧を印加するデータ駆動部と、
を含み、
前記信号制御部は、前記入力映像信号を補正して補正映像信号を出力する入力映像信号補正部を含み、
前記入力映像信号補正部は、前記入力映像信号の階調が０のときに前記入力映像信号を０より大きい階調である第１階調に補正する、表示装置。
【請求項２】
階調が０の入力映像信号に対する画素電圧である第１ブラックデータ電圧は、前記第１階調に対する画素電圧である第２ブラックデータ電圧より小さく、
前記第２ブラックデータ電圧は、前記画素の輝度が変化し始めるしきい電圧より小さい又は同じである、請求項１に記載の表示装置。
【請求項３】
前記信号制御部は、一つのドットが含む複数の画素に対する前記入力映像信号の階調が全て０であるかを判断する補正回避判断部をさらに含む、請求項２に記載の表示装置。
【請求項４】
前記補正回避判断部は、前記入力映像信号補正部から前記補正映像信号及び前記入力映像信号を受信し、前記一つのドットが含む複数の画素に対する前記入力映像信号の階調が全て０である場合、前記一つのドットに対する前記入力映像信号を前記出力映像信号として出力する、請求項３に記載の表示装置。
【請求項５】
前記しきい電圧は約１．４５Ｖである、請求項４に記載の表示装置。
【請求項６】
前記入力映像信号補正部は、前記入力映像信号に対応する補正データを有するルックアップテーブルを含み、
前記第１階調に補正する補正データは前記ルックアップテーブルに含まれている、請求項４に記載の表示装置。
【請求項７】
前記複数の画素のうちの第１画素は、前記第１画素と異なる行に位置して、前記第１画素と同一のデータ線に接続されている第２画素に対するデータ電圧でプリチャージされる、請求項６に記載の表示装置。
【請求項８】
前記表示板は、
第１ゲート信号を伝達する第１ゲート線と、
前記第１ゲート信号のゲートオン電圧区間と互いに重なるゲートオン電圧区間を含む第２ゲート信号を伝達する第２ゲート線と、
前記第１ゲート線及び第２ゲート線と交差するデータ線と、
前記第１ゲート線及び前記データ線に第１スイッチング素子によって接続される第１画素と、
前記第２ゲート線及び前記データ線に第２スイッチング素子によって接続される第２画素と、
を含む、請求項４に記載の表示装置。
【請求項９】
同一の画素列に位置する複数の画素は、互いに異なるデータ線にスイッチング素子によって交互に接続されている、請求項８に記載の表示装置。
【請求項１０】
前記第１画素及び前記第２画素は互いに異なる画素列に位置する、請求項８に記載の表示装置。
【発明の詳細な説明】
【技術分野】
【０００１】
本発明は、表示装置及びその駆動方法に関し、特に、画質不良を改善できる表示装置及びその駆動方法に関する。
【背景技術】
【０００２】
液晶表示装置（ｌｉｑｕｉｄ  ｃｒｙｓｔａｌ  ｄｉｓｐｌａｙ、ＬＣＤ）、有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般に複数の画素及び複数の信号線が具備された表示板と、表示板を駆動する駆動部とを含む。各画素は、信号線に接続されているスイッチング素子と、これに接続されている画素電極と、対向電極とを含む。駆動部は、表示板にゲート信号を供給するためのゲート駆動部と、表示板にデータ信号を供給するためのデータ駆動部と、データ駆動部及びゲート駆動部を制御するための信号制御部などを含む。
【０００３】
画素電極は、薄膜トランジスタ（ＴＦＴ）などのスイッチング素子に接続されて、データ電圧が印加される。対向電極は、表示板の全面に形成されており、共通電圧Ｖｃｏｍが印加される。画素電極と対向電極は同一の基板上に位置してもよく、互いに異なる基板上に位置してもよい。
【０００４】
例えば、液晶表示装置の場合、画素電極及び対向電極が具備された二つの表示板と、その間に挿入されている誘電率異方性（ｄｉｅｌｅｃｔｒｉｃ  ａｎｉｓｏｔｒｏｐｙ）を有する液晶層とを含む。画素電極は、行列状に配列されており、薄膜トランジスタ（ＴＦＴ）などのスイッチング素子に接続されて、一行ずつ順次データ電圧が印加される。対向電極は、表示板の全面に形成され、共通電圧Ｖｃｏｍが印加される。画素電極及び対向電極に電圧を印加して液晶層に電界を生成し、この電界の強さを調節して液晶層を通過する光の透過率を調節することにより、所望の画像を得ることができる。
【０００５】
表示装置は、外部のグラフィック制御器から入力映像信号を受信し、入力映像信号は、各画素の輝度情報を含んでおり、各輝度は定められた値を有している。各画素は、所望の輝度情報に対応するデータ電圧が印加される。画素電圧は、画素に印加されたデータ電圧と共通電極に印加される共通電圧との差によって定義され、各画素は、画素電圧に応じて、映像信号の階調が示す輝度を表示する。このとき、液晶表示装置の場合、液晶層に一方向の電界が長い間印加されることによって発生する劣化現象を防止するために、フレーム別、行別、列別、または画素別に、基準となる電圧に対するデータ電圧の極性を反転させてもよい。
【０００６】
最近、表示装置の解像度が高いほど高画質の映像を提供することができるので、表示装置の解像度は高くなる傾向にある。したがって、解像度が高くなることによって各画素をデータ電圧で充電する時間が短くなる。特に、データ電圧の極性を反転させる場合、データ電圧を目標データ電圧に充電する時間が不足する恐れがある。
【０００７】
充電時間を補充するために、一般的には、プリチャージ駆動方法が用いられている。プリチャージ駆動方法は、各画素に目標データ電圧を印加する前にプリチャージ電圧を予め伝達して、当該画素の本充電のときに目標輝度を示すための画素電圧に早く到達できるようにする。
【発明の概要】
【発明が解決しようとする課題】
【０００８】
本発明の目的は、プリチャージ駆動方法が用いられる表示装置において、画素によって異なりうる充電率の差による輝度のばらつきをなくし、横線または縦線のようなムラが視認されることを防止できる表示装置及びその駆動方法を提供することにある。
【０００９】
また、本発明の他の目的は、画素間の充電率のばらつきを改善し、充電性ムラの発生を低減することにある。
【課題を解決するための手段】
【００１０】
本発明の一実施形態による表示装置は、複数の画素を含む表示板と、前記画素に対する入力映像信号を受信し、前記入力映像信号を処理して出力映像信号を生成する信号制御部と、前記出力映像信号をデータ電圧に変換し、前記表示板に前記データ電圧を印加するデータ駆動部と、を含み、前記信号制御部は、前記入力映像信号を補正して補正映像信号を出力する入力映像信号補正部を含み、前記入力映像信号補正部は、前記入力映像信号の階調が０のときに前記入力映像信号を０より大きい階調である第１階調に補正する。
【００１１】
階調が０の入力映像信号に対する画素電圧である第１ブラックデータ電圧は、前記第１階調に対する画素電圧である第２ブラックデータ電圧より小さく、前記第２ブラックデータ電圧は、前記画素の輝度が変化し始めるしきい電圧より小さい又は同じであってもよい。  
【００１２】
前記信号制御部は、一つのドットが含む複数の画素に対する前記入力映像信号の階調が全て０であるかを判断する補正回避判断部をさらに含んでもよい。
【００１３】
前記補正回避判断部は、前記入力映像信号補正部から前記補正映像信号及び前記入力映像信号を受信し、一つのドットが含む複数の画素に対する前記入力映像信号の階調が全て０である場合、前記一つのドットに対する前記入力映像信号を前記出力映像信号として出力してもよい。
【００１４】
前記しきい電圧はほぼ１．４５Ｖであってもよい。
【００１５】
前記入力映像信号補正部は、前記入力映像信号に対応する補正データを有するルックアップテーブルを含み、前記第１階調に補正する補正データは前記ルックアップテーブルに含まれていてもよい。
【００１６】
前記複数の画素のうちの第１画素は、前記第１画素と異なる行に位置して、前記第１画素と同一のデータ線に接続されている第２画素に対するデータ電圧でプリチャージされてもよい。
【００１７】
前記信号制御部は、前記入力映像信号を受信して一定時間遅延させて出力するレジスタをさらに含み、前記補正回避判断部は、前記レジスタから前記入力映像信号を受信してもよい。
【００１８】
前記表示板は、第１ゲート信号を伝達する第１ゲート線と、前記第１ゲート信号のゲートオン電圧区間と互いに重なるゲートオン電圧区間を含む第２ゲート信号を伝達する第２ゲート線と、前記第１ゲート線及び第２ゲート線と交差するデータ線と、前記第１ゲート線及び前記データ線に第１スイッチング素子によって接続されている第１画素と、前記第２ゲート線及び前記データ線に第２スイッチング素子によって接続されている第２画素と、を含んでもよい。
【００１９】
同一の画素列に位置する複数の画素は、互いに異なるデータ線にスイッチング素子によって交互に接続されてもよい。
【００２０】
前記第１画素及び前記第２画素は互いに異なる画素列に位置してもよい。
【００２１】
画素行ごとに一対のゲート線が配置されて、一つの画素行に位置する複数の画素は該当する一対のゲート線のうちのいずれか一つに接続されており、隣接した一対の画素は、同一のデータ線及び互いに異なるゲート線に接続されてもよい。
【００２２】
前記第１画素及び前記第２画素は同一の画素行に位置してもよい。
【００２３】
本発明の一実施形態による表示装置の駆動方法は、入力映像信号を処理して出力映像信号を生成し、前記出力映像信号をデータ電圧に変換し、前記入力映像信号を処理するときに、前記入力映像信号を補正して補正映像信号を出力し、前記入力映像信号を補正するときに、前記入力映像信号の階調が０のときに前記入力映像信号を０より大きい階調である第１階調に補正する。
【００２４】
階調が０の入力映像信号に対する画素電圧である第１ブラックデータ電圧は、前記第１階調に対する画素電圧である第２ブラックデータ電圧より小さく、前記第２ブラックデータ電圧は、前記画素の輝度が変化し始めるしきい電圧より小さい又は同じであってもよい。
【００２５】
前記入力映像信号を処理するときに、前記補正映像信号及び前記入力映像信号を受信し、一つのドットが含む複数の画素に対する前記入力映像信号の階調が全て０であるかを判断し、前記一つのドットが含む複数の画素に対する前記入力映像信号の階調が全て０である場合、前記一つのドットに対する前記入力映像信号を前記出力映像信号として出力してもよい。
【００２６】
前記しきい電圧は、ほぼ１．４５Ｖであってもよい。
【００２７】
前記入力映像信号を処理するときに、前記入力映像信号を受信して一定時間遅延させて出力してもよい。
【００２８】
前記入力映像信号を処理するときに、前記補正映像信号及び前記入力映像信号を受信し、一つのドットが含む複数の画素に対する前記入力映像信号の階調が全て０であるかを判断し、前記一つのドットが含む複数の画素に対する前記入力映像信号の階調が全て０である場合、前記一つのドットに対する前記入力映像信号を前記出力映像信号として出力してもよい。
【００２９】
前記入力映像信号を処理するときに、前記入力映像信号を受信して一定時間遅延させて出力してもよい。
【発明の効果】
【００３０】
本発明の実施形態によれば、プリチャージ駆動方法が用いられる表示装置において、画素によって異なりうる充電率の差による輝度ばらつきをなくし、横線または縦線のようなムラが視認されることを防止でき、充電率を改善して充電性ムラの発生を低減することができる。
【図面の簡単な説明】
【００３１】
【図１】本発明の一実施形態による表示装置のブロック図である。
【図２】本発明の一実施形態による表示装置の画素及び信号線の配置図である。
【図３】本発明の一実施形態による表示装置の駆動信号のタイミング図である。
【図４】本発明の一実施形態による表示装置の映像信号処理部のブロック図である。
【図５】本発明の一実施形態による表示装置の映像信号処理部の具体的なブロック図である。
【図６】本発明の一実施形態による表示装置の画素電圧による透過率の変化を示すグラフである。
【図７】本発明の一実施形態による表示装置の三原色の画素の少なくとも一部にブラックデータ電圧が印加される場合のデータ電圧を示す。
【図８】本発明の一実施形態による表示装置の画素及び信号線の配置図である。
【図９】図８に示した表示装置の駆動信号のタイミング図である。
【図１０】本発明の一実施形態による表示装置の画素及び信号線の配置図である。
【図１１】図１０に示した表示装置の駆動信号のタイミング図である。
【発明を実施するための形態】
【００３２】
添付した図面を参照して、本発明の実施形態について、本発明が属する技術分野における通常の知識を有する者が容易に実施できるように詳細に説明する。しかし、本発明は種々の異なる形態に実現でき、ここで説明する実施形態に限られない。
【００３３】
次に、本発明の一実施形態による表示装置及びその駆動方法について、図面を参照して詳細に説明する。
【００３４】
最初に、図１を参照して、本発明の一実施形態による表示装置について説明する。
【００３５】
図１は、本発明の一実施形態による表示装置のブロック図である。
【００３６】
図１を参照すれば、本発明の一実施形態による表示装置は、表示板（ｄｉｓｐｌａｙ  ｐａｎｅｌ）３００、表示板３００に接続されたゲート駆動部４００及びデータ駆動部５００、そして信号制御部６００を含む。
【００３７】
図１の等価回路から、表示板３００は、複数の信号線と、これらの信号線に接続され、ほぼ行列状に配列された複数の画素ＰＸとを含む。本発明の一実施形態による表示装置が液晶表示装置である場合、表示板３００は、断面構造において、互いに対向する下部及び上部表示板（図示せず）と、両方の表示板の間に挿入されている液晶層（図示せず）とを含んでもよい。
【００３８】
信号線は、ゲート信号（「走査信号」ともいう）を伝達する複数のゲート線Ｇ１−Ｇｎと、データ電圧を伝達する複数のデータ線Ｄ１−Ｄｍとを含む。
【００３９】
画素ＰＸは、少なくとも一つのデータ線Ｄ１、Ｄ２、．．．、Ｄｍ及び少なくとも一つのゲート線Ｇ１、Ｇ２、．．．、Ｇｎに接続された、少なくとも一つのスイッチング素子（図示せず）と、スイッチング素子に接続された少なくとも一つの画素電極（図示せず）と、を含んでもよい。スイッチング素子は、少なくとも一つの薄膜トランジスタを含んでもよく、ゲート線Ｇ１、Ｇ２、．．．、Ｇｎが伝達するゲート信号によって制御され、データ線Ｄ１、Ｄ２、．．．、Ｄｍが伝達するデータ電圧Ｖｄを各画素ＰＸの画素電極に伝達することができる。
【００４０】
各画素ＰＸは、色表示を実現するために原色（ｐｒｉｍａｒｙ  ｃｏｌｏｒ）のうちの一つを異なる画素に表示するか（空間分割）、または各画素ＰＸが異なる時間に交互に原色を表示して（時間分割）、これら原色の空間的、時間的な相互作用によって所望の色が認識されるようにすることができる。原色の例としては赤色、緑色、及び青色など三原色、または黄色（ｙｅｌｌｏｗ）、青緑色（ｃｙａｎ）、紫紅色（ｍａｇｅｎｔａ）などが挙げられる。互いに異なる原色を表示し、隣接する、または隣接しない複数の画素ＰＸは、共に一つのセット（ドットという）を構成することができ、一つのドットは白色の映像を表示することができる。つまり、白色の映像を表示することが可能な画素ＰＸの組み合わせを、一つのドットと呼んでもよい。本発明の実施形態では、原色が赤色、緑色、及び青色の三原色からなる例を主に挙げる。また、Ｒ、Ｇ、Ｂは、それぞれ赤色または赤色画素、緑色または緑色画素、青色及び青色画素の両方を示す。
【００４１】
データ駆動部５００はデータ線Ｄ１−Ｄｍと接続されており、信号制御部６００から受信した出力映像信号ＤＡＴに基づいて階調電圧を選択し、これをデータ電圧Ｖｄとしてデータ線Ｄ１−Ｄｍに印加する。データ駆動部５００は、別途の階調電圧生成部（図示せず）で生成された階調電圧が入力されてもよく、限定された数の基準階調電圧だけが提供され、これを分圧して全体階調に対する階調電圧を生成してもよい。
【００４２】
ゲート駆動部４００は、ゲート線Ｇ１−Ｇｎに接続されて、ゲートオン電圧Ｖｏｎとゲートオフ電圧Ｖｏｆｆとの組み合わせからなるゲート信号をゲート線Ｇ１−Ｇｎに印加する。
【００４３】
信号制御部６００は、グラフィック制御部（図示せず）などから入力映像信号ＩＤＡＴ及び入力制御信号ＩＣＯＮを受信して、ゲート駆動部４００及びデータ駆動部５００などの動作を制御する。
【００４４】
グラフィック制御部は、外部から受信した映像データを処理して入力映像信号ＩＤＡＴを生成した後、信号制御部６００に入力映像信号ＩＤＡＴを送信してもよい。例えば、グラフィック制御部は、モーションブラー（ｍｏｔｉｏｎ  ｂｌｕｒ）を低減するために、隣接するのフレームの間に中間フレームを挿入するフレームレート制御（ｆｒａｍｅ  ｒａｔｅ  ｃｏｎｔｒｏｌ）などを行ってもよい。
【００４５】
入力映像信号ＩＤＡＴは、各画素ＰＸの輝度（ｌｕｍｉｎａｎｃｅ）情報を含んでおり、輝度は定められた値、例えば、１０２４（＝２１０）、２５６（＝２８）または６４（＝２６）個の階調（ｇｒａｙ）を有している。入力映像信号ＩＤＡＴは、画素ＰＸが示す原色別に存在してもよい。例えば、画素ＰＸが赤色、緑色、及び青色の原色のうちのいずれか一つを示す場合、入力映像信号ＩＤＡＴは、赤色入力映像信号Ｒ_ｉｎ、緑色入力映像信号Ｇ_ｉｎ、及び青色入力映像信号Ｂ_ｉｎのうちのいずれか一つを含んでもよい。
【００４６】
入力制御信号ＩＣＯＮの例としては、垂直同期信号、水平同期信号、メインクロック信号、及びデータイネーブル信号などがある。
【００４７】
信号制御部６００は、入力映像信号ＩＤＡＴと入力制御信号ＩＣＯＮに基づき、入力映像信号ＩＤＡＴを処理して出力映像信号ＤＡＴに変換し、ゲート制御信号ＣＯＮＴ１及びデータ制御信号ＣＯＮＴ２などを生成する。画素ＰＸが、赤色、緑色、及び青色の原色のうちのいずれか一つを示す場合、出力映像信号ＤＡＴは、赤色出力映像信号Ｒ_ｏｕｔ、緑色出力映像信号Ｇ_ｏｕｔ、及び青色出力映像信号Ｂ_ｏｕｔのうちのいずれか一つを含んでもよい。データ制御信号ＣＯＮＴ２は、共通電圧Ｖｃｏｍに対するデータ電圧Ｖｄの極性（データ電圧の極性という）を反転させる反転信号をさらに含んでもよい。
【００４８】
信号制御部６００は、受信した入力映像信号ＩＤＡＴを表示板３００の条件に合うように処理する映像信号処理部６１０を含む。
【００４９】
次に、このような表示装置の駆動方法について説明する。
【００５０】
信号制御部６００は、外部から入力映像信号ＩＤＡＴ及びその表示を制御する入力制御信号ＩＣＯＮを受信する。信号制御部６００は、入力映像信号ＩＤＡＴを処理して出力映像信号ＤＡＴに変換し、ゲート制御信号ＣＯＮＴ１及びデータ制御信号ＣＯＮＴ２などを生成する。信号制御部６００は、ゲート制御信号ＣＯＮＴ１をゲート駆動部４００に送信し、データ制御信号ＣＯＮＴ２と出力映像信号ＤＡＴをデータ駆動部５００に送信する。
【００５１】
データ駆動部５００は、信号制御部６００からのデータ制御信号ＣＯＮＴ２に基づく一行の画素ＰＸに対する出力映像信号ＤＡＴを受信し、各出力映像信号ＤＡＴに対応する階調電圧を選択することによって出力映像信号ＤＡＴをアナログデータ電圧Ｖｄに変換した後、これを当該データ線Ｄ１−Ｄｍに印加する。
【００５２】
ゲート駆動部４００は、信号制御部６００からのゲート制御信号ＣＯＮＴ１にもとづくゲートオン電圧Ｖｏｎをゲート線Ｇ１−Ｇｎに印加し、これらのゲート線Ｇ１−Ｇｎに接続されたスイッチング素子をターンオンさせる。これにより、データ線Ｄ１−Ｄｍに印加されたデータ電圧Ｖｄがターンオンされたスイッチング素子によって当該画素ＰＸに印加され、画素ＰＸの充電電圧である画素電圧が供給される。画素ＰＸにデータ電圧Ｖｄが印加されると、画素ＰＸは、液晶のような多様な光学変換素子によって、データ電圧Ｖｄに対応する輝度を表示することができる。例えば、液晶表示装置の場合、液晶層の液晶分子の傾きの程度を制御して光の偏光を調節することで、入力映像信号ＩＤＡＴの階調に対応する輝度を表示することができる。
【００５３】
１水平周期[「１Ｈ」とも記し、水平同期信号Ｈｓｙｎｃ及びデータイネーブル信号ＤＥの一周期と同一である。］を単位として、このような過程を繰り返すことにより、全てのゲート線Ｇ１−Ｇｎに対して順次ゲートオン電圧Ｖｏｎを印加し、全ての画素ＰＸにデータ電圧Ｖｄを印加して１フレーム（ｆｒａｍｅ）の映像を表示する。
【００５４】
１フレームが終了すると、次のフレームの映像表示が開始し、各画素ＰＸに印加されるデータ電圧Ｖｄの極性が直前フレームにおける極性と反対になるように、データ制御信号ＣＯＮＴ２が反転信号を含み、各画素の状態が制御されてもよい（フレーム反転という）。フレーム反転のとき、一つ以上のフレームごとに全体画素ＰＸに印加されるデータ電圧Ｖｄの極性を反転してもよい。１フレーム内でも反転信号の特性によって一つのデータ線Ｄ１−Ｄｍを通じて流れるデータ電圧Ｖｄの極性が周期的に変化してもよく、または一つの画素行のデータ線Ｄ１−Ｄｍに印加されるデータ電圧Ｖｄの極性が互いに異なってもよい。
【００５５】
次に、上述した図１と共に、図２及び図３を参照して、本発明の一実施形態による表示装置のさらに具体的な構造及びプリチャージ方法の例について説明する。
【００５６】
図２は、本発明の一実施形態による表示装置の画素及び信号線の配置図であり、図３は、本発明の一実施形態による表示装置の駆動信号のタイミング図である。
【００５７】
図２及び図３を参照すれば、本発明の一実施形態による表示装置は、互いに異なるゲート線（Ｇｉ、Ｇｊ）（ｉ、ｊ＝１、２、…、ｎ）、及び同一のデータ線（Ｄｋ）（ｋ＝１、２、…、ｍ）に接続された、少なくとも二つの画素ＰＸａ、ＰＸｂを含む。図２は、第１ゲート線Ｇｉ及びデータ線Ｄｋに接続されている第１画素ＰＸａ、そして第２ゲート線Ｇｊ及びデータ線Ｄｋに接続されている第２画素ＰＸｂを例として示す。このような少なくとも二つの画素ＰＸａ、ＰＸｂは、図２に実線で示したように一つの画素行に位置してもよく、図２に点線で示したように互いに異なる画素行に位置してもよい。
【００５８】
図３を参照すれば、第１ゲート線Ｇｉと第２ゲート線Ｇｊはそれぞれゲート信号Ｖｇｉ、Ｖｇｊを伝達し、各ゲート信号Ｖｇｉ、Ｖｇｊのゲートオン電圧Ｖｏｎ区間の一部分は互いに重なる。第１ゲート線Ｇｉが第２ゲート線Ｇｊより先にゲートオン電圧Ｖｏｎを伝達する場合、第２ゲート線Ｇｊのゲートオン電圧Ｖｏｎ区間のうち、第１ゲート線Ｇｉのゲートオン電圧Ｖｏｎ区間と重なる部分をプリチャージ区間（ｐｒｅ-ｃｈａｒｇｅ  ｐｅｒｉｏｄ）Ｐｒｅといい、第１ゲート線Ｇｉのゲートオン電圧Ｖｏｎ区間と重ならない部分を本充電区間（ｍａｉｎ-ｃｈａｒｇｅ  ｐｅｒｉｏｄ）Ｍａｉｎという。
【００５９】
第２ゲート線Ｇｊのプリチャージ区間Ｐｒｅは、第１ゲート線Ｇｉの本充電区間Ｍａｉｎに相当する。即ち、第２ゲート線Ｇｊのプリチャージ区間Ｐｒｅの間に第１ゲート線Ｇｉと接続された第１画素ＰＸａは、ターンオンされたスイッチング素子によってデータ線Ｄｋが伝達するデータ電圧Ｖｄのうち、第１画素ＰＸａの出力映像信号ＤＡＴに対応する第１データ電圧Ｖ１によって充電される。このとき、第２ゲート線Ｇｊと接続された第２画素ＰＸｂと接続されたスイッチング素子にもゲートオン電圧Ｖｏｎが伝達されるので、第２画素ＰＸｂも同一のデータ電圧Ｖｄである第１データ電圧Ｖ１によってプリチャージされる。
【００６０】
第２ゲート線Ｇｊの本充電区間Ｍａｉｎの間には、第１画素ＰＸａにデータ電圧Ｖｄが伝達されず、第２画素ＰＸｂが、ターンオンされたスイッチング素子により、データ電圧Ｖｄのうち、第２画素ＰＸｂの出力映像信号ＤＡＴに対応する第２データ電圧Ｖ２によって本充電される。本発明の一実施形態による表示装置がフレーム反転で駆動され、第１データ電圧Ｖｄと第２データ電圧Ｖ２が共通電圧に対して同一の極性を有する場合、第２画素ＰＸｂはプリチャージ区間Ｐｒｅで第２データ電圧Ｖ２と同一の極性の第１データ電圧Ｖ１で予めプリチャージされるので、本充電区間Ｍａｉｎで第２画素ＰＸｂの画素電圧が目標輝度に早く到達することができる。
【００６１】
このようなプリチャージ方法において、便宜上、プリチャージされる対象である第２画素ＰＸｂを「プリチャージされる画素」といい、第２画素ＰＸｂのプリチャージされる第１データ電圧Ｖ１を本充電電圧とする第１画素ＰＸａを「プリチャージに影響を与える画素」という。
【００６２】
プリチャージに影響を与える画素の本充電電圧の階調は、入力映像信号ＩＤＡＴによって最低階調から最高階調まで多様である。したがって、プリチャージされる画素のプリチャージ区間Ｐｒｅでプリチャージされる電圧も、プリチャージに影響を与える画素の映像信号の階調によって変化するため、画素の位置によってプリチャージされる画素の充電率にばらつきが発生し、輝度が異なるように表示されることがある。特に、特定色を表現する場合、同一の原色を示すプリチャージされる画素の位置によってプリチャージによる影響が異なって輝度が変化すれば、ムラとして視認されてしまう。
【００６３】
例えば、二つのプリチャージされる赤色画素のうち、一つの赤色画素のプリチャージに影響を与える画素の階調が０階調であり、他の一つの赤色画素のプリチャージに影響を与える画素の階調が高諧調である場合、二つの赤色画素のプリチャージ程度に差が生じて、同一の原色の画素ＰＸの輝度にもばらつきが生じうる。この場合、混色横線または混色縦線の画質不良が現れることがあり、表示板３００が大面積化されるか、または高解像度を有するか、または高速駆動される場合、各画素ＰＸの充電率がさらに落ちって、このような画質不良は一層顕著になる。ここで、０階調は表示装置の最小輝度に対応する階調であってもよい。
【００６４】
以下、０階調は、ブラックを示すブラック階調である場合を例として挙げて説明するが、本発明の実施形態はこれに限定されない。
【００６５】
本発明の一実施形態による表示装置の信号制御部６００の映像信号処理部６１０は、同一の原色を示す画素ＰＸのプリチャージによるばらつきを低減し、このような画質不良を改善することができる。
【００６６】
このような映像信号処理部６１０の具体的な構造及び映像信号処理部６１０を含む表示装置の駆動方法について、上述した図面と共に図４乃至図７を参照して説明する。
【００６７】
図４は、本発明の一実施形態による表示装置の映像信号処理部のブロック図であり、図５は、本発明の一実施形態による表示装置の映像信号処理部の具体的なブロック図であり、図６は、本発明の一実施形態による表示装置の画素電圧による透過率の変化を示すグラフである。
【００６８】
先ず、図４を参照すれば、本発明の一実施形態による表示装置の信号制御部６００の映像信号処理部６１０は、入力映像信号補正部６２０及びブラック補正回避判断部６３０を含む。
【００６９】
入力映像信号補正部６２０は、表示装置に適合するように入力映像信号ＩＤＡＴ（Ｒ_ｉｎ、Ｇ_ｉｎ、Ｂ_ｉｎ）を補正して補正映像信号ＩＤＡＴ'を生成する。補正の例としては、ＡＣＣ（ａｃｃｕｒａｔｅ  ｃｏｌｏｒ  ｃａｐｔｕｒｅ）処理、ＤＣＣ（ｄｙｎａｍｉｃｃａｐａｃｉｔａｎｃｅ  ｃｏｍｐｅｎｓａｔｉｏｎ）処理などがある。このような補正によって生成された補正映像信号ＩＤＡＴ'のビット数は、補正前の入力映像信号ＩＤＡＴのビット数と異なってもよい。このような補正のとき、別途のメモリまたはルックアップテーブルなどに保存された補正データを利用してもよい。
【００７０】
例えば、入力映像信号補正部６２０がＡＣＣ処理を行う場合、入力映像信号補正部６２０は、Ｎビット入力映像信号ＩＤＡＴを表示装置の特性に適合するように予め定められたＭビットの補正映像信号ＩＤＡＴ'に変換する。ここで、ＮビットとＭビットは、互いに同一であってもよく、異なってもよい。入力映像信号補正部６２０は、Ｎビットの入力映像信号ＩＤＡＴをＭビットの補正映像信号ＩＤＡＴ'に変換するためのルックアップテーブルを含んでもよい。
【００７１】
図５は、入力映像信号補正部６２０が、ＡＣＣ処理を行うのに用いられるルックアップテーブル６２２を含む例を示す。ルックアップテーブル６２２は、赤色、緑色、及び青色の各原色の入力映像信号ＩＤＡＴに対する輝度を目標ガンマ曲線に合わせるための各階調の補正データを保存する。ここで、従来のＡＣＣルックアップテーブルは、一般に０階調の入力映像信号ＩＤＡＴに対して、そのまま０階調の補正データを保存する。ルックアップテーブル６２２の縦軸の色々な階調に対するＲ、Ｇ、Ｂ補正データは例示的なものであり、図示されたことに限定されない。
【００７２】
しかし、本発明の一実施形態によるルックアップテーブル６２２は、従来技術とは異なり、０階調の入力映像信号ＩＤＡＴに対する補正データは、０階調より大きい値を有する。例えば、図５に示したように、０階調の入力映像信号ＩＤＡＴに対する補正データは、約０．７５以上約２以下であってもよい。
【００７３】
もし、０階調の入力映像信号ＩＤＡＴに対してそのまま０階調の出力映像信号ＤＡＴがデータ駆動部５００に入力される場合、データ駆動部５００は０階調の出力映像信号ＤＡＴを第１ブラックデータ電圧Ｖｂ１に変換して画素ＰＸに印加することができる。ここで、第１ブラックデータ電圧Ｖｂ１をはじめとする全てのデータ電圧は、共通電圧Ｖｃｏｍとデータ電圧との差である画素電圧を意味する。また、０階調の出力映像信号ＤＡＴに対応するデータ電圧を第１ブラックデータ電圧Ｖｂ１と表したが、ブラックは例示的なものであり、これは以下でも同一である。つまり、第１ブラックデータ電圧Ｖｂ１を第１データ電圧Ｖｂ１と表現してもよい。
【００７４】
第１ブラックデータ電圧Ｖｂ１は０Ｖより大きくてもよい。
【００７５】
ここで図６を参照すれば、図６は、例えば、ノーマリブラックモードの液晶表示装置である場合、画素電圧Ｖに対する表示装置の輝度Ｔを示す。最高階調に対する画素電圧Ｖｗｈが印加される場合、表示装置は最大輝度を示すことができる。一方、０階調付近ではある程度の画素電圧Ｖまでは輝度Ｔが実質的に０である。したがって、第１ブラックデータ電圧Ｖｂ１の値が０Ｖより大きくても、実質的に０の輝度Ｔを示すことができる。
【００７６】
第１ブラックデータ電圧Ｖｂ１は、表示装置の特性、例えば、液晶表示装置の場合に液晶の特性によって変化してもよく、例えば、約０．８Ｖ以上約１．２Ｖ以下であってもよいが、これに限定されない。第１ブラックデータ電圧Ｖｂ１が印加されて表示される映像の輝度は約０．３ｎｉｔであってもよいが、これに限定されない。
【００７７】
さらに図５を参照すれば、０階調の入力映像信号ＩＤＡＴに対する補正データが０階調より大きいので、０階調の入力映像信号ＩＤＡＴに対する補正映像信号ＩＤＡＴ’が出力映像信号ＤＡＴとして出力される。データ駆動部５００は、出力映像信号ＤＡＴを第１ブラックデータ電圧Ｖｂ１より大きく、補正されたブラックデータ電圧である、第２ブラックデータ電圧Ｖｂ２に変換して、画素ＰＸに印加してもよい。
【００７８】
図６を参照すれば、第２ブラックデータ電圧Ｖｂ２は、第１ブラックデータ電圧Ｖｂ１に対応する輝度が変化し始めるしきい電圧（ｔｈｒｅｓｈｏｌｄ  ｖｏｌｔａｇｅ）Ｖｔｈと同じ又は小さくてもよい。例えば、液晶表示装置の場合、第２ブラックデータ電圧Ｖｂ２は、液晶がブラック輝度を表示する、しきい電圧Ｖｔｈ以下であってもよい。液晶表示装置の場合、第２ブラックデータ電圧Ｖｂ２は約１．４５Ｖ以下であってもよいが、これに限定されず、液晶の特性によって変化しうる。もし、０階調の入力映像信号ＩＤＡＴに対して、しきい電圧Ｖｔｈより大きいデータ電圧が表示板３００に印加されると、コントラスト比（ｃｏｎｔｒａｓｔｒａｔｉｏ）が低下してしまう可能性がある。
【００７９】
０階調の入力映像信号ＩＤＡＴに対して、第１ブラックデータ電圧Ｖｂ１を印加した場合の輝度と、第２ブラックデータ電圧Ｖｂ２を印加した場合の輝度との差は、約０．００３ニット（ｎｉｔ）以下であってもよい。このような輝度差は、人が認知できない水準であるため、実質的にブラック階調の輝度には差がない。したがって、本発明の一実施形態のように、一つのドットを構成する画素の原色別の入力映像信号ＩＤＡＴにおける０階調の構成によってブラックデータ電圧を二元化しても、色座標の劣化が発生しない。
【００８０】
このように、入力映像信号ＩＤＡＴは、ルックアップテーブル６２２で変換されて補正映像信号ＩＤＡＴ'として出力され、補正映像信号ＩＤＡＴ'は、赤色補正映像信号Ｒ_ｌｕｔ、緑色補正映像信号Ｇ_ｌｕｔ、及び青色補正映像信号Ｂ_ｌｕｔを含んでもよい。
【００８１】
一方、映像信号処理部６１０は、入力映像信号ＩＤＡＴを受信して一定時間遅延させて出力するレジスタ６２４をさらに含んでもよい。ここで、遅延する一定時間は、入力映像信号ＩＤＡＴが入力映像信号補正部６２０で処理される時間に対応してもよい。レジスタ６２４は入力映像信号補正部６２０の中に含まれてもよい。
【００８２】
図４及び図５を参照すれば、ブラック補正回避判断部６３０は、一つのドットに対する赤色入力映像信号Ｒ_ｉｎ、緑色入力映像信号Ｇ_ｉｎ、及び青色入力映像信号Ｂ_ｉｎが全て０階調であるかを判断する。判断結果、一つのドットに対する赤色入力映像信号Ｒ_ｉｎ、緑色入力映像信号Ｇ_ｉｎ、及び青色入力映像信号Ｂ_ｉｎが全て０階調である場合、補正映像信号ＩＤＡＴ'の代わりに補正前の入力映像信号ＩＤＡＴを出力映像信号ＤＡＴとして出力する。この場合、一つのドットに対する赤色、緑色、及び青色入力映像信号Ｒ_ｉｎ、Ｇ_ｉｎ、Ｂ_ｉｎが全て０階調であるので、データ駆動部５００は赤色、緑色、及び青色画素（Ｒ、Ｇ、Ｂ）に全て第１ブラックデータ電圧Ｖｂ１を出力するようになる。
【００８３】
しかし、ブラック補正回避判断部６３０は、一つのドットに対する赤色入力映像信号Ｒ_ｉｎ、緑色入力映像信号Ｇ_ｉｎ、及び青色入力映像信号Ｂ_ｉｎの全てが０階調である場合以外には、入力映像信号補正部６２０から受信した補正映像信号ＩＤＡＴ'（Ｒ_ｌｕｔ、Ｇ_ｌｕｔ、Ｂ_ｌｕｔ）を出力映像信号ＤＡＴとして出力する。出力映像信号ＤＡＴは、赤色出力映像信号Ｒ_ｏｕｔ、緑色出力映像信号Ｇ_ｏｕｔ、及び青色出力映像信号Ｂ_ｏｕｔを含んでもよい。この場合、一つのドットに対する赤色、緑色、及び青色入力映像信号（Ｒ_ｉｎ、Ｇ_ｉｎ、Ｂ_ｉｎ）のうちのいずれか一つ、または二つが０階調であるとき、データ駆動部５００は、０階調の入力映像信号Ｒ_ｉｎ、Ｇ_ｉｎ、Ｂ_ｉｎに対して、第１ブラックデータ電圧Ｖｂ１より大きい第２ブラックデータ電圧Ｖｂ２を出力する。
【００８４】
次に、このように生成された第１ブラックデータ電圧Ｖｂ１及び第２ブラックデータ電圧Ｖｂ２を含むデータ電圧について、上述した図面と共に図７を参照して説明する。
【００８５】
図７は、本発明の一実施形態による表示装置の三原色の画素の少なくとも一部にブラックデータ電圧が印加される場合のデータ電圧を示す。
【００８６】
図７に示した実施形態では、画素ＰＸが示す原色が赤色Ｒ、緑色Ｇ、及び青色Ｂである場合を例として挙げているが、原色の数及び種類はこれに限定されない。
【００８７】
図７（ａ）に示したように、一つのドットに対する赤色入力映像信号Ｒ_ｉｎ、緑色入力映像信号Ｇ_ｉｎ、及び青色入力映像信号Ｂ_ｉｎが全て０階調である場合、当該データ電圧Ｖｄは、０Ｖと仮定した共通電圧Ｖｃｏｍより大きい第１ブラックデータ電圧Ｖｂ１であってもよい。
【００８８】
図７（ｂ）に示したように、一つのドットに対する赤色入力映像信号Ｒ_ｉｎ、緑色入力映像信号Ｇ_ｉｎ、及び青色入力映像信号Ｂ_ｉｎのうちのいずれか二つ、例えば、赤色入力映像信号Ｒ_ｉｎ及び緑色入力映像信号Ｇ_ｉｎがいずれも０階調であり、青色入力映像信号Ｂ_ｉｎは０より大きい階調、つまり、表示装置の輝度が０階調に比べて高い階調の場合、赤色入力映像信号Ｒ_ｉｎ及び緑色入力映像信号Ｇ_ｉｎに対するデータ電圧Ｖｄは、第１ブラックデータ電圧Ｖｂ１より大きい第２ブラックデータ電圧Ｖｂ２であり、青色入力映像信号Ｂ_ｉｎに対するデータ電圧Ｖｄは、補正映像信号ＩＤＡＴ'に対応する電圧、例えば、第１データ電圧Ｖ１であってもよい。
【００８９】
図７（ｃ）に示したように、一つのドットに対する赤色入力映像信号Ｒ_ｉｎ、緑色入力映像信号Ｇ_ｉｎ、及び青色入力映像信号Ｂ_ｉｎのうちのいずれか一つ、例えば、赤色入力映像信号Ｒ_ｉｎだけが０階調であり、緑色入力映像信号Ｇ_ｉｎ及び青色入力映像信号Ｂ_ｉｎは０より大きい階調である場合、赤色入力映像信号Ｒ_ｉｎに対するデータ電圧Ｖｄは、第１ブラックデータ電圧Ｖｂ１より大きい第２ブラックデータ電圧Ｖｂ２であり、緑色入力映像信号Ｇ_ｉｎ及び青色入力映像信号Ｂ_ｉｎに対するデータ電圧Ｖｄは、補正映像信号ＩＤＡＴ'に対応する電圧、例えば、第１データ電圧Ｖ１であってもよい。
【００９０】
図７（ｄ）に示したように、一つのドットに対する赤色入力映像信号Ｒ_ｉｎ、緑色入力映像信号Ｇ_ｉｎ、及び青色入力映像信号Ｂ_ｉｎのうちのいずれか一つ、例えば、緑色入力映像信号Ｇ_ｉｎだけが０階調であり、赤色入力映像信号Ｒ_ｉｎ及び青色入力映像信号Ｂ_ｉｎは０より大きい階調である場合、緑色入力映像信号Ｇ_ｉｎに対するデータ電圧Ｖｄは第１ブラックデータ電圧Ｖｂ１より大きい第２ブラックデータ電圧Ｖｂ２であり、赤色入力映像信号Ｒ_ｉｎ及び青色入力映像信号Ｂ_ｉｎに対するデータ電圧Ｖｄは、補正映像信号ＩＤＡＴ'に対応する電圧、例えば、第１データ電圧Ｖ１であってもよい。
【００９１】
このように、本発明の一実施形態によれば、一つのドットの全ての原色画素に対する入力映像信号ＩＤＡＴが０階調である場合には、コントラスト比の低下を防止するために、第１ブラックデータ電圧Ｖｂ１を各画素ＰＸに印加し、一つのドットのうちの一部原色に対する入力映像信号ＩＤＡＴが０階調である場合は、当該原色の画素ＰＸに第１ブラックデータ電圧Ｖｂ１より大きい第２ブラックデータ電圧Ｖｂ２を印加する。第２ブラックデータ電圧Ｖｂ２は、第１ブラックデータ電圧Ｖｂ１より大きいが、表示映像のコントラスト比を低下させないか、または人に容易に認知されないほどの大きさで決められる。
【００９２】
これによって、プリチャージされる画素に影響を与える画素に対する入力映像信号ＩＤＡＴが０階調である場合にも、プリチャージされるブラックデータ電圧が０階調に対応するデータ電圧よりも大きくなるため、プリチャージされる画素にプリチャージされる電圧を大きくすることができる。したがって、同じ原色の画素の位置（他の列、他の行）による充電率のばらつきが低減し、横線または縦線のようなムラが視認されるのを防止することができる。
【００９３】
また、従来技術による場合、充電率のばらつきによる横線または縦線のムラなどの画質不良を改善するためにプリチャージ時間を減らすなどの対策がなされていたが、本発明の実施形態によれば、充電率のばらつきが減った分だけプリチャージ時間を増やすことができるので、画素ＰＸの充電率を増加させることができ、画素ＰＸの充電不足に起因して発生する充電性ムラを低減することができる。
【００９４】
次に、上述した図面と共に、図８及び図９を参照して、本発明の一実施形態による表示装置の具体的な構造について説明する。
【００９５】
図８は、本発明の一実施形態による表示装置の画素及び信号線の配置図であり、図９は、図８に示した表示装置の駆動信号のタイミング図である。
【００９６】
図８を参照すれば、本発明の一実施形態による表示板３００は、行方向に延在する複数のゲート線Ｇｉ、Ｇ（ｉ＋１）、．．．、列方向に延在する複数のデータ線Ｄｊ、Ｄ（ｊ＋１）、．．．、及び複数の画素ＰＸを含む。各画素ＰＸは、ゲート線Ｇｉ、Ｇ（ｉ＋１）、．．．、及びデータ線Ｄｊ、Ｄ（ｊ＋１）、．．．にスイッチング素子Ｑを介して接続されている画素電極１９１を含んでもよい。本実施形態で、各画素ＰＸは赤色Ｒ、緑色Ｇ、及び青色Ｂの原色を示すことと示したが、これに限定されない。
【００９７】
一つの画素列には同一の原色Ｒ、Ｇ、Ｂを示す画素が配置されてもよい。例えば、赤色画素Ｒの画素列、緑色画素Ｇの画素列、及び青色画素Ｂの画素列が交互に配置されてもよい。データ線Ｄｊ、Ｄ（ｊ＋１）、．．．は各画素列ごとに一つずつ配置され、ゲート線Ｇｉ、Ｇ（ｉ＋１）、．．．は各画素行ごとに一つずつ配置されるが、これに限定されない。
【００９８】
一つの画素列に配置されて同一の原色を示す画素Ｒ、Ｇ、Ｂは、互いに隣接した二つのデータ線Ｄｊ、Ｄ（ｊ＋１）、．．．のうちのいずれか一つに接続されてもよく、さらに具体的に、図８に示したように、一つの画素列に配置された画素Ｒ、Ｇ、Ｂは、互いに隣接した二つのデータ線Ｄｊ、Ｄ（ｊ＋１）、．．．に交互に接続されてもよい。同一の画素行に位置する画素Ｒ、Ｇ、Ｂは、同一のゲート線Ｇｉ、Ｇ（ｉ＋１）、．．．に接続されてもよい。
【００９９】
隣接したデータ線Ｄｊ、Ｄ（ｊ＋１）、．．．には互いに反対極性のデータ電圧が印加されてもよい。データ電圧はフレームごとに極性反転が行われてもよい。
【０１００】
これにより、列方向に隣接する画素Ｒ、Ｇ、Ｂは、互いに反対極性のデータ電圧が印加され、一つの画素行で隣接する画素Ｒ、Ｇ、Ｂは互いに反対極性のデータ電圧が印加されて、ほぼ１×１点反転形態に駆動できる。即ち、データ線Ｄｊ、Ｄ（ｊ＋１）、．．．に印加されるデータ電圧が１フレームの間に同一の極性を維持する列反転で駆動されても、点反転駆動が実現される。
【０１０１】
図９を参照すれば、ゲート信号Ｖｇｉ、Ｖｇ（ｉ＋１）、Ｖｇ（ｉ＋２）のゲートオン電圧Ｖｏｎは、１水平周期（１  ｈｏｒｉｚｏｎｔａｌ  ｐｅｒｉｏｄ）１Ｈを周期としてゲート線Ｇｉ、Ｇ（ｉ＋１）、．．．に順次に印加されてもよい。連続して印加される二つのゲート信号Ｖｇｉ、Ｖｇ（ｉ＋１）、Ｖｇ（ｉ＋２）のゲートオン電圧Ｖｏｎの区間は互いに一部分が重なる。ゲートオン電圧Ｖｏｎの重なる部分は、後に印加されるゲート信号Ｖｇｉ、Ｖｇ（ｉ＋１）、Ｖｇ（ｉ＋２）が入力される画素Ｒ、Ｇ、Ｂがプリチャージされるプリチャージ区間Ｐｒｅに相当する。
【０１０２】
図８及び図９に示した実施形態によれば、同一の原色を示す画素行の画素ＰＸは、それが接続されたデータ線Ｄｊ、Ｄ（ｊ＋１）、．．．によって、互いに異なる色を示す画素ＰＸに印加されるデータ電圧によってプリチャージされる。
【０１０３】
例えば、図８を参照して緑色画素Ｇについて説明すると、ゲート線Ｇ（ｉ＋１）及びデータ線Ｄ（ｊ＋２）に接続された緑色画素Ｇは、矢印Ａ１で表示したように、ゲート線Ｇｉ及びデータ線Ｄ（ｊ＋２）に接続された青色画素Ｂの本充電のときに印加される同一の極性のデータ電圧によってプリチャージされる。反面、ゲート線Ｇ（ｉ＋２）及びデータ線Ｄ（ｊ＋１）に接続された緑色画素Ｇは、矢印Ａ２で表示したように、ゲート線Ｇ（ｉ＋１）及びデータ線Ｄ（ｊ＋１）に接続された赤色画素Ｒの本充電のときに印加される同一の極性のデータ電圧によってプリチャージされる。したがって、互いに異なる行に位置する二つの緑色画素Ｇに対して、それぞれの緑色画素Ｇのプリチャージに影響を与える画素が、それぞれ青色画素Ｂと赤色画素Ｒで互いに異なる。したがって、青色画素Ｂ及び赤色画素Ｒのうち、いずれか一方が０階調を示し、他方は０より大きい階調を示す場合、互いに異なる行に位置する二つの緑色画素Ｇのプリチャージの程度及び輝度に差が生じて、横線のようなムラが発生しうる。
【０１０４】
しかし、本発明の一実施形態によれば、映像信号処理部６１０で０階調の入力映像信号は、０より大きい階調（例えば、約０．７５以上約２以下）に補正された第２ブラックデータ電圧Ｖｂ２が当該画素ＰＸに印加されるので、互いに異なる行に位置する同一の原色の画素に対して、これらの画素のプリチャージに影響を与える画素ＰＸの階調差によるプリチャージの大きさ及びそれに伴う輝度のばらつきを減少することができ、横線のようなムラが視認されることを低減することができる。
【０１０５】
特に、本発明の一実施形態のように、同一の画素列の画素ＰＸが隣接するデータ線Ｄｊ、Ｄ（ｊ＋１）、．．．に交互に接続されている構造において、同一の原色を示す一つの画素行の画素ＰＸが、互いに異なる原色を示す画素ＰＸによってプリチャージの影響を受ける場合、互いに異なる原色を示す画素ＰＸのうちのいずれか一つが０階調を表示して、特定色の映像を表示するときに現れる混色横線の発生を低減することができる。
【０１０６】
次に、上述した図面と共に、図１０及び図１１を参照して、本発明の一実施形態による表示装置の具体的な構造について説明する。
【０１０７】
図１０は、本発明の一実施形態による表示装置の画素及び信号線の配置図であり、図１１は、図１０に示した表示装置の駆動信号のタイミング図である。
【０１０８】
図１０を参照すれば、本発明の一実施形態による表示板３００は、行方向に延在する複数のゲート線Ｇｉ、Ｇ（ｉ＋１）、．．．、Ｇ（ｉ＋７）、列方向に延在する複数のデータ線Ｄｊ、Ｄ（ｊ＋１）、．．．、Ｄ（ｊ＋３）、及び複数の画素ＰＸを含む。各画素ＰＸは、ゲート線Ｇｉ、Ｇ（ｉ＋１）、．．．、Ｇ（ｉ＋７）及びデータ線Ｄｊ、Ｄ（ｊ＋１）、．．．、Ｄ（ｊ＋３）にスイッチング素子（図示せず）を介して接続されている画素電極（図示せず）を含んでもよい。本実施形態で、各画素ＰＸは赤色Ｒ、緑色Ｇ、及び青色Ｂの原色を示す構造を図示したが、これに限定されない。
【０１０９】
一つの画素列には同一の原色を示す画素が配置される。例えば、赤色画素Ｒの画素列、緑色画素Ｇの画素列、及び青色画素Ｂの画素列が交互に配置されてもよい。隣接する二つのデータ線Ｄｊ、Ｄ（ｊ＋１）、．．．、Ｄ（ｊ＋３）の間には、画素Ｒ、Ｇ、Ｂのうち二つの画素が配置され、一つの画素行ごとに２個ずつのゲート線Ｇｉ、Ｇ（ｉ＋１）、．．．、Ｇ（ｉ＋７）が配置されるが、これに限定されない。
【０１１０】
一つの画素行ごとに２個ずつのゲート線Ｇｉ、Ｇ（ｉ＋１）、．．．、Ｇ（ｉ＋７）が配置された場合、各画素行の画素Ｒ、Ｇ、Ｂは、該当する二つのゲート線Ｇｉ、Ｇ（ｉ＋１）、．．．、Ｇ（ｉ＋７）のうちのいずれか一つに接続されてもよい。
【０１１１】
一つの画素列に配置された画素Ｒ、Ｇ、Ｂは、互いに隣接した二つのデータ線Ｄｊ、Ｄ（ｊ＋１）、．．．、Ｄ（ｊ＋３）のうちのいずれか一つに接続されてもよい。さらに具体的に、一つの画素列に配置された画素Ｒ、Ｇ、Ｂは、互いに隣接した二つのデータ線Ｄｊ、Ｄ（ｊ＋１）、．．．、Ｄ（ｊ＋３）に交互に接続されてもよい。
【０１１２】
特に、一つの画素行で互いに異なるゲート線Ｇｉ、Ｇ（ｉ＋１）、．．．、Ｇ（ｉ＋７）に接続された一対の画素は、同一のデータ線Ｄｊ、Ｄ（ｊ＋１）、．．．、Ｄ（ｊ＋３）に接続されている。さらに具体的には、隣接した二つのデータ線Ｄｊ、Ｄ（ｊ＋１）、．．．、Ｄ（ｊ＋３）の間に配置された一対の画素は、互いに異なる二つのゲート線（Ｇｉ、Ｇ（ｉ＋１）、．．．、Ｇ（ｉ＋７）のいずれか二つ）及び同一のデータ線（Ｄｊ、Ｄ（ｊ＋１）、．．．、Ｄ（ｊ＋３）のいずれか）に接続されてもよい。
【０１１３】
隣接したデータ線Ｄｊ、Ｄ（ｊ＋１）、．．．、Ｄ（ｊ＋３）には互いに反対極性のデータ電圧が印加されてもよい。データ電圧はフレームごとに極性が反転してもよい。
【０１１４】
したがって、列方向に隣接する画素Ｒ、Ｇ、Ｂは、互いに反対極性のデータ電圧が印加され、一つの画素行において、画素Ｒ、Ｇ、Ｂのうち二つの画素ごとに互いに反対極性のデータ電圧が印加されて、ほぼ点反転形態に駆動できる。即ち、データ線Ｄｊ、Ｄ（ｊ＋１）、．．．、Ｄ（ｊ＋３）に印加されるデータ電圧が１フレームの間に同一の極性を維持する列反転で駆動されても、点反転駆動が実現される。
【０１１５】
図１１を参照すれば、ゲート信号Ｖｇｉ、Ｖｇ（ｉ＋１）、．．．、Ｖｇ（ｉ＋２）のゲートオン電圧Ｖｏｎは、１水平周期１Ｈを周期として順次印加される。図９に示した実施形態で、一つの画素行に配置された一対のゲート線（例えば、ＧｉとＧ（ｉ＋１））のうちの下側に位置するゲート線（例えば、Ｇ（ｉ＋１））に先ずゲートオン電圧Ｖｏｎが印加されることを例として挙げたが、これに限定されない。
【０１１６】
時間的に連続してゲートオン電圧Ｖｏｎが入力される二つのゲート信号Ｖｇｉ、Ｖｇ（ｉ＋１）、．．．、Ｖｇ（ｉ＋２）の二つのゲートオン電圧Ｖｏｎ区間は互いに一部分が重なる。ゲートオン電圧Ｖｏｎの前の部分は、当該ゲート線Ｇｉ、Ｇ（ｉ＋１）、．．．、Ｇ（ｉ＋７）に接続された画素Ｒ、Ｇ、Ｂがプリチャージされるプリチャージ区間Ｐｒｅに相当する。
【０１１７】
図１０及び図１１に示した実施形態によれば、同一の原色を示す画素ＰＸでも、それが位置する画素列によって、互いに異なる色を示す画素ＰＸに印加されるデータ電圧によってプリチャージされる。
【０１１８】
例えば、図１０を参照して緑色画素Ｇについて説明すると、ゲート線Ｇｉ及びデータ線Ｄ（ｊ＋１）に接続された緑色画素Ｇは、矢印Ａ１で表したように、ゲート線Ｇｉより先にゲートオン電圧が印加されるゲート線Ｇ（ｉ＋１）及びデータ線Ｄ（ｊ＋１）に接続された赤色画素Ｒの本充電のときに印加される同一の極性のデータ電圧によってプリチャージされる。反面、ゲート線Ｇｉ及びデータ線Ｄ（ｊ＋３）に接続された緑色画素Ｇは、矢印Ａ２で表したように、ゲート線Ｇ（ｉ＋１）及びデータ線Ｄ（ｊ＋３）に接続された青色画素Ｂの本充電のときに印加される同一の極性のデータ電圧によってプリチャージされる。したがって、互いに異なる画素列に位置する二つの緑色画素Ｇに対して、それぞれの緑色画素Ｇのプリチャージに影響を与える画素が、それぞれ赤色画素Ｒと青色画素Ｂで互いに異なる。したがって、赤色画素Ｒ及び青色画素Ｂのうちのいずれか一つが０階調を示し、他の一つは０より大きい階調を示す場合、互いに異なる画素列に位置する二つの緑色画素Ｇのプリチャージの程度及び輝度に差が生じて、縦線のようなムラが発生しうる。
【０１１９】
しかし、本発明の一実施形態によれば、映像信号処理部６１０で０階調の入力映像信号は、０より大きい階調（例えば、約０．７５以上約２以下）に補正された第２ブラックデータ電圧Ｖｂ２が当該画素ＰＸに印加されるので、互いに異なる画素列に位置する同一の原色の画素に対して、これらの画素のプリチャージに影響を与える画素ＰＸの階調差によるプリチャージの大きさ及びそれに伴う輝度のばらつきを減少することができ、縦線のようなムラが視認されることを低減することができる。
【０１２０】
特に、本発明の一実施形態のように、互いに異なる画素列に位置する同一の原色を示す画素ＰＸが、互いに異なる原色を示す画素ＰＸと対をなして同一のデータ線に接続されている構造において、同一の原色を示す互いに異なる画素列の画素ＰＸが、互いに異なる原色を示す画素ＰＸによってプリチャージの影響を受ける場合、互いに異なる原色を示す画素ＰＸのうちのいずれか一つが０階調を示して特定色の映像を表示するときに現れる混色縦線の発生を低減することができる。
【０１２１】
以上、本発明の好ましい実施形態について詳細に説明したが、本発明の権利範囲はこれに限定されず、特許請求の範囲で定義している本発明の基本概念を利用した当業者の種々の変形及び改良形態も本発明の権利範囲に属するものである。
【符号の説明】
【０１２２】
３００  表示板
４００  ゲート駆動部
５００  データ駆動部
６００  信号制御部
６１０  映像信号処理部
６２０  入力映像信号補正部
６２２  ルックアップテーブル
６２４  レジスタ
６３０  ブラック補正回避判断部
【図１】
2015031950.tif 000003
【図２】
2015031950.tif 000004
【図３】
2015031950.tif 000005
【図４】
2015031950.tif 000006
【図５】
2015031950.tif 000007
【図６】
2015031950.tif 000008
【図７】
2015031950.tif 000009
【図８】
2015031950.tif 000010
【図９】
2015031950.tif 000011
【図１０】
2015031950.tif 000012
【図１１】
2015031950.tif 000013